【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
被検体内部に導入された状態で使用され、前記被検体内部において所定の機能を実行する被検体内導入装置であって、
前記所定の機能を実行する機能実行手段と、
当該被検体内導入装置の電源スイッチの投入後に所定時間を計時するタイマと、
前記タイマが前記所定時間を計時した場合に前記機能実行手段の駆動を制御する駆動制御手段と、
を備えたことを特徴とする被検体内導入装置。
【請求項２】
前記機能実行手段は、無線送信手段であり、
前記無線送信手段は、当該無線送信手段の起動をスイッチングする無線起動スイッチを備え、
前記駆動制御手段は、前記タイマが前記所定時間を計時した場合に前記無線起動スイッチをオンさせることを特徴とする請求項１に記載の被検体内導入装置。
【請求項３】
前記機能実行手段は、無線送信手段であり、
前記無線送信手段は、当該無線送信手段の低消費電力状態と通常消費電力状態とを切替変更する無線電源変更手段を備え、
前記駆動制御手段は、前記タイマが前記所定時間を計時した場合に前記無線電源変更手段に変更指示を与えて前記低消費電力状態から前記通常消費電力状態に切り替えさせることを特徴とする請求項１に記載の被検体内導入装置。
【請求項４】
前記機能実行手段は、撮像回路であり、
前記駆動制御手段は、前記電源スイッチの投入後に少なくとも撮像回路を駆動させる制御を行うことを特徴とする請求項１〜３のいずれか一つに記載の被検体内導入装置。
【請求項５】
前記タイマは、撮像回路内に設けられることを特徴とする請求項１〜４のいずれか一つに記載の被検体内導入装置。
【請求項６】
所定のフレームレートによる第１の撮像処理と該第１の撮像処理とは異なるフレームレートによる第２の撮像処理とを変更するフレームレート変更手段をさらに備え、
前記駆動制御手段は、前記フレームレート変更手段に対して、前記電源スイッチの投入後に前記第１の撮像処理によるフレームレートで撮像を行わせる指示を行い、前記タイマが前記所定時間を計時した場合に前記第２の撮像処理によるフレームレートで撮像を行わせる指示を行うことを特徴とする請求項１〜５のいずれか一つに記載の被検体内導入装置。
【請求項７】
磁気信号、光信号または電波信号の少なくとも１つを検出するセンサ手段を備え、
前記電源スイッチは、前記センサ手段の検出結果に応じて電源投入状態とされることを特徴とする請求項１〜６のいずれか一つに記載の被検体内導入装置。
【請求項８】
被検体内部に導入される被検体内導入装置と、被検体外部に配置され、前記被検体内導入装置によって得られた情報を無線通信を介して取得する受信装置とを備えた無線型被検体内情報取得システムであって、
前記被検体内導入装置は、
供給される駆動電力に基づいて所定の機能を実行する機能実行手段と、
供給される駆動電力を受信し、前記機能実行手段によって得られた情報を無線送信する無線手段と、
当該被検体内導入装置の電源スイッチの投入後に所定時間を計時するタイマと、
前記タイマが前記所定時間を計時した場合に前記機能実行手段の駆動を制御する駆動制御手段とを備え、
前記受信装置は、
前記無線手段から送信された情報を受信する無線受信手段と、
受信した情報を解析する処理手段と、
を備えたことを特徴とする無線型被検体内情報取得システム。
【請求項９】
前記機能実行手段は、
被検体内部の画像データを取得する撮像手段と、
前記撮像手段によって取得された画像データを外部に無線送信する無線送信手段と、
を備え、
前記駆動制御手段は、前記タイマが前記所定時間を計時した場合に、前記無線送信手段の起動をスイッチングする無線スイッチをオンさせることを特徴とする請求項８に記載の無線型被検体内情報取得システム。
【請求項１０】
前記被検体内導入装置は、磁気信号、光信号または電波信号の少なくとも１つを検出するセンサ手段を備え、
前記電源スイッチは、前記センサ手段の検出結果に応じて電源投入状態とされることを特徴とする請求項８または９に記載の無線型被検体内情報取得システム。
【手続補正２】
【補正対象書類名】明細書
【補正対象項目名】００１３
【補正方法】変更
【補正の内容】
【００１３】
上述した課題を解決し、目的を達成するために、本発明にかかる被検体内導入装置は、被検体内部に導入された状態で使用され、前記被検体内部において所定の機能を実行する被検体内導入装置であって、前記所定の機能を実行する機能実行手段と、当該被検体内導入装置の電源スイッチの投入後に所定時間を計時するタイマと、前記タイマが前記所定時間を計時した場合に前記機能実行手段の駆動を制御する駆動制御手段と、を備えたことを特徴とする。
【手続補正３】
【補正対象書類名】明細書
【補正対象項目名】００１４
【補正方法】変更
【補正の内容】
【００１４】
また、本発明にかかる被検体内導入装置は、前記機能実行手段は、無線送信手段であり、前記無線送信手段は、当該無線送信手段の起動をスイッチングする無線起動スイッチを備え、前記駆動制御手段は、前記タイマが前記所定時間を計時した場合に前記無線起動スイッチをオンさせることを特徴とする。
【手続補正４】
【補正対象書類名】明細書
【補正対象項目名】００１５
【補正方法】変更
【補正の内容】
【００１５】
また、本発明にかかる被検体内導入装置は、上記の発明において、前記機能実行手段は、無線送信手段であり、前記無線送信手段は、当該無線送信手段の低消費電力状態と通常消費電力状態とを切替変更する無線電源変更手段を備え、前記駆動制御手段は、前記タイマが前記所定時間を計時した場合に前記無線電源変更手段に変更指示を与えて前記低消費電力状態から前記通常消費電力状態に切り替えさせることを特徴とする。
【手続補正５】
【補正対象書類名】明細書
【補正対象項目名】００１６
【補正方法】変更
【補正の内容】
【００１６】
また、本発明にかかる被検体内導入装置は、上記の発明において、前記機能実行手段は、撮像回路であり、前記駆動制御手段は、前記電源スイッチの投入後に少なくとも撮像回路を駆動させる制御を行うことを特徴とする。
【手続補正６】
【補正対象書類名】明細書
【補正対象項目名】００１７
【補正方法】変更
【補正の内容】
【００１７】
また、本発明にかかる被検体内導入装置は、上記の発明において、前記タイマは、撮像回路内に設けられることを特徴とする。
【手続補正７】
【補正対象書類名】明細書
【補正対象項目名】００１８
【補正方法】変更
【補正の内容】
【００１８】
また、本発明にかかる被検体内導入装置は、上記の発明において、所定のフレームレートによる第１の撮像処理と該第１の撮像処理とは異なるフレームレートによる第２の撮像処理とを変更するフレームレート変更手段をさらに備え、前記駆動制御手段は、前記フレームレート変更手段に対して、前記電源スイッチの投入後に前記第１の撮像処理によるフレームレートで撮像を行わせる指示を行い、前記タイマが前記所定時間を計時した場合に前記第２の撮像処理によるフレームレートで撮像を行わせる指示を行うことを特徴とする。また、本発明にかかる被検体内導入装置は、上記の発明において、磁気信号、光信号または電波信号の少なくとも１つを検出するセンサ手段を備え、前記電源スイッチは、前記センサ手段の検出結果に応じて電源投入状態とされることを特徴とする。
【手続補正８】
【補正対象書類名】明細書
【補正対象項目名】００１９
【補正方法】変更
【補正の内容】
【００１９】
また、本発明にかかる無線型被検体内情報取得システムは、被検体内部に導入される被検体内導入装置と、被検体外部に配置され、前記被検体内導入装置によって得られた情報を無線通信を介して取得する受信装置とを備えた無線型被検体内情報取得システムであって、前記被検体内導入装置は、供給される駆動電力に基づいて所定の機能を実行する機能実行手段と、供給される駆動電力を受信し、前記機能実行手段によって得られた情報を無線送信する無線手段と、当該被検体内導入装置の電源スイッチの投入後に所定時間を計時するタイマと、前記タイマが前記所定時間を計時した場合に前記機能実行手段の駆動を制御する駆動制御手段とを備え、前記受信装置は、前記無線手段から送信された情報を受信する無線受信手段と、受信した情報を解析する処理手段と、を備えたことを特徴とする。
【手続補正９】
【補正対象書類名】明細書
【補正対象項目名】００２０
【補正方法】変更
【補正の内容】
【００２０】
また、本発明にかかる無線型被検体内情報取得システムは、上記の発明において、前記機能実行手段は、被検体内部の画像データを取得する撮像手段と、前記撮像手段によって取得された画像データを外部に無線送信する無線送信手段と、を備え、前記駆動制御手段は、前記タイマが前記所定時間を計時した場合に、前記無線送信手段の起動をスイッチングする無線スイッチをオンさせることを特徴とする。また、本発明にかかる無線型被検体内情報取得システムは、上記の発明において、前記被検体内導入装置は、磁気信号、光信号または電波信号の少なくとも１つを検出するセンサ手段を備え、前記電源スイッチは、前記センサ手段の検出結果に応じて電源投入状態とされることを特徴とする。